(57)【特許請求の範囲】
【請求項１】
利用者の取引データを記憶する情報処理装置に通信回線を介して接続され、この情報処理装置から受信したデータを用いて利用者にサービスを提供する複数の端末装置を有する取引システムにおいて、
前記利用者が前記複数の端末装置を利用するために通過する共通の通路に設置され、前記利用者が保持している携帯可能な識別信号発信装置から発信された前記端末装置の利用者であることを識別する識別信号を非接触で検知する第1の識別信号検知装置と、
前記複数の端末装置のそれぞれの通路に対応して設置されており、前記端末装置を利用する前記利用者が保持している前記識別信号発信装置から発信された識別信号を非接触で検知する第２の識別信号検知装置と、
前記複数の端末装置と接続され、前記第1の識別信号検知装置によって検知された前記識別信号に該当する前記利用者の取引データを前記情報処理装置から受信して一括して記憶するとともに、前記第２の識別信号検知装置によって前記識別信号が検知されたとき当該第２の識別信号検知装置に対応して設置された前記端末装置へ当該識別信号に該当する前記利用者の取引データを送信するデータ制御装置と、
を有することを特徴とする取引システム。
【発明の詳細な説明】
【０００１】
【産業上の利用分野】
本発明は利用者操作型の取引システムに係り、利用者による操作によりホストコンピュータと通信して利用者に情報等を提供する取引システムに関する。
【０００２】
【従来の技術】
近年、利用者がキー入力操作等で取引に必要な情報を入力後、通信回線を介して接続されたホストコンピュータと交信することにより自動的に利用者に情報等を提供する取引システムが各種開発され、実用に供されている。しかし、このような取引システムでは、利用者は情報を入力後、一連の処理が終了し情報を入手するまで、利用者は端末の操作部において待機しなければならないと共に待機のため一定時間端末を専有しており、他の利用者による入力操作が行えなかった。
【０００３】
近年、利用者の取引時間を短縮して装置の処理効率を向上するものとして、特開平５−３４２４４２号公報がある。この装置は、携帯可能な入力手段を用いてカードより読み取った情報と入力された現金要求情報とをホストコンピュータへ送信し、ホストコンピュータからの現金払い許可情報に従って入力者と受取者の照合のもと、入力手段とは別に設置された現金出力手段から現金を放出するものである。
【０００４】
【発明が解決しようとする課題】
しかしながら、特開平５−３４２４４２号公報は、入力手段と現金出力手段の設置位置が異なるため、利用者は入力手段において取引に必要な情報を入力した後に、現金出力手段においても、入力者であるかの照合を行わなければならず、利用者の操作手順が増えてしまうという欠点がある。
【０００５】
そこで本発明は、上記欠点を除去し、自動的に利用者を識別して利用者による入力操作を簡単にすると共に、利用者の取引時間を短縮する取引システムを提供することを目的とする。
【０００６】
【課題を解決するための手段】
上記目的を達成するために、本発明の取引システムは、利用者の取引データを記憶する情報処理装置に通信回線を介して接続され、この情報処理装置から受信したデータを用いて利用者にサービスを提供する複数の端末装置を有する取引システムにおいて、
前記利用者が前記複数の端末装置を利用するために通過する共通の通路に設置され、前記利用者が保持している携帯可能な識別信号発信装置から発信された前記端末装置の利用者であることを識別する識別信号を非接触で検知する第1の識別信号検知装置と、
前記複数の端末装置のそれぞれの通路に対応して設置されており、前記端末装置を利用する前記利用者が保持している前記識別信号発信装置から発信された識別信号を非接触で検知する第２の識別信号検知装置と、
前記複数の端末装置と接続され、前記第1の識別信号検知装置によって検知された前記識別信号に該当する前記利用者の取引データを前記情報処理装置から受信して一括して記憶するとともに、前記第２の識別信号検知装置によって前記識別信号が検知されたとき当該第２の識別信号検知装置に対応して設置された前記端末装置へ当該識別信号に該当する前記利用者の取引データを送信するデータ制御装置と、
を有するものである。
【０００９】
【作用】
上述する構成により本発明は、端末装置の利用者は、サービスの登録者であることを非接触で通知する識別信号を発信する識別信号発信装置を所有して端末装置に近づくと、利用者の端末装置へ向かう経路上に設置された識別信号検知装置が自動的に識別信号を検知して情報処理装置にデータを照会する。これにより利用者が端末装置で取引を行う前に情報処理装置から利用者のデータを端末装置に取り寄せて保持しておくことができる。
【００１０】
【実施例】
（第１実施例）
以下に、本発明の第１実施例を図面を参照して説明する。図２は、本発明の一実施例であり、銀行における現金自動預払機（以下、ＡＴＭと称す。）に用いた取引システムのシステムイメージ図である。１は識別信号発信装置としての無線カードで、非接触で特定の利用者であることを通知する識別信号、例えば口座番号等の識別信号Ａを発信する装置である。
【００１１】
２は本発明の取引システムであり、ゲートアンテナ３、ＡＴＭ４そしてホストコンピュータ５とから構成されている。ゲートアンテナ３は銀行の入口内側にゲート状に設けられており、無線カード１を所有する利用者がゲートアンテナ３を通過すると、通過した利用者の無線カード１が発する識別信号Ａを非接触で検知すると共に、検知した識別信号ＡをＡＴＭ４へ送信する識別信号検知装置である。
【００１２】
ＡＴＭ４はゲートアンテナ３とケーブル、オンライン、無線ＬＡＮ等の通信回線で接続されており、ゲートアンテナ３から送信された識別信号Ａや、利用者が挿入したカードやキー入力から得たデータより決められた処理を自動的に行い、ホストコンピュータ５との通信の結果を表示部であるＣＲＴ画面に表示したり、レシートに印字したりしてサービスを提供する端末装置である。ホストコンピュータ５はサービスの提供元でＡＴＭ４と上述したような通信回線で接続されており、自由にデータりやりとり（処理要求、応答）ができるようになっている。また、利用者の口座番号や残高等の取引データを記憶している原簿を持ち、端末からの指示に従って原簿の更新等を行う情報処理装置である。
【００１３】
次に図３は、図２に示した取引システム２の主要機能の構成を示すブロック図である。図３においてゲートアンテナ３は、ゲートアンテナ３全体を制御するゲートＣＰＵ（セントラル・プロセッシング・ユニット）１１と、ゲートＣＰＵ１１の制御プログラム等の制御データを記憶しているＲＯＭ（リード・オンリ・メモリ）１２と、各種データを一時記憶するＲＡＭ（ランダム・アクセス・メモリ）１３とを有している。また、顧客の所有する無線カード１が発信している識別信号Ａを検知する検知手段としての信号検知部１４と、検知した識別信号Ａがある一定の周波数の電波で、かつ、予め決められたフォーマットのデータであるかを判定する判定手段としての信号判定部１５と、検知した識別信号ＡをＡＴＭ４へ送信する制御手段としての伝送制御部１６とを有している。
【００１４】
ＡＴＭ４は、ＡＴＭ４全体を制御するＣＰＵ２１と、ＣＰＵ２１の制御プログラム等の制御データを記憶しているＲＯＭ２２と、各種データを一時記憶する保持手段としてのＲＡＭ２３を有すると共に、ゲートアンテナ３から送信された識別信号Ａを受信するゲート伝送制御部２４と、受信した識別信号Ａの口座番号や銀行コード等のデータをチェックするデータ判定部２５と、識別信号Ａの口座番号をセットした残高照会要求電文をホストコンピュータ５へ送信すると共に残高照会応答電文やエラー電文を受信するホスト伝送制御部２６とを有している。また、ＡＴＭ４はホストコンピュータ５より受信したデータ等を表示する表示部２７と、利用者によって挿入された磁気カードの磁気情報の読み取り等を行う読取部２８と、利用者が所望の情報の入力を行う入力手段としての入力部２９をも有している。
【００１５】
ホストコンピュータ５は、ホストコンピュータ５全体を制御するホストＣＰＵ３１と、通信回線を介してＡＴＭ４と交信してデータの送信もしくは受信を行う伝送制御部３２と、利用者ごとの取引データ等を記憶している記録手段としての元帳ファイルである利用者データファイル３４と、ＡＴＭ４から送信されたデータの口座番号をもとに利用者データファイル３４の元帳ファイルからデータを検索してホストＣＰＵ３１へ出力する検索手段としてのファイル制御部３３とを有している。
【００１６】
次に図１のフローチャートを用いて上述する構成の取引システム２の動作を説明する。まず、無線カード１を所有する顧客が銀行の入口に設置されたゲートアンテナ３を通過すると、ゲートアンテナ３は信号検知部１４により顧客の所有する無線カード１から発信している識別信号Ａを検知する（ＳＴ１１）。すると、ゲートＣＰＵ１１は信号判定部１５により検知した識別信号Ａが所定のフォーマットの信号であるかを判定し（ＳＴ１２）、識別信号Ａが所定の信号であると判定されると、検知した識別信号Ａを伝送制御部１６からＡＴＭ４へ送信する（ＳＴ１３）。
【００１７】
ＡＴＭ４においては、ゲート伝送制御部２４でゲートアンテナ３から送信された識別信号Ａを受信すると（ＳＴ１４）、ＣＰＵ２１はデータ判定部２５により識別信号Ａの口座番号等のデータが所定フォーマットのデータであるかを判定する（ＳＴ１５）。ＳＴ１５で所定データであると判定されると、次にデータ判定部２５は受信した口座番号のデータが既にＲＡＭ２３に記憶されているかを判定する（ＳＴ１６）。ＳＴ１６で記憶していない新規な口座番号であると判定されるとＣＰＵ２１は、受信した識別信号Ａの口座番号をセットした残高照会要求電文をホスト伝送制御部２６からホストコンピュータ５へ送信する（ＳＴ１７）。
【００１８】
ＳＴ１７でＡＴＭ４からの残高照会要求電文を伝送制御部３２に受信すると、ホストコンピュータ５のホストＣＰＵ３１は、受信した利用者の口座番号に基づいてファイル制御部３３により利用者データファイル３４の元帳ファイルから利用者の取引データを検索し（ＳＴ１８）、該当する口座の有無を判定する（ＳＴ１９）。ＳＴ１９で該当口座が存在すると判定されると、ホストＣＰＵ３１は元帳ファイルから該当口座の残高を読み出して利用者データとして残高照会応答電文にセットして伝送制御部３３からＡＴＭ４へ送信する。ここで、該当口座が存在しないと判定された場合にはエラー電文をＡＴＭ４へ送信する（ＳＴ２０，ＳＴ２１）。
【００１９】
ＡＴＭ４のＣＰＵ２１は、ホストコンピュータ５からの残高照会応答電文を受信すると（ＳＴ２２）、ＲＡＭ２３に口座番号、残高等を記憶し、エラー電文を受信した場合にはＲＡＭ２３には口座番号とエラーコードを記憶する（ＳＴ２３）。このようにして利用者が無線カード１を所有して銀行の入口を通過すると、利用者自らがＡＴＭ４の入力部２９より情報の入力を行う前に、自動的に利用者の口座の残高データ等がホストコンピュータ５からＡＴＭ４へ送信され、ＡＴＭ４が利用者データを保持するようになっている。
【００２０】
そして、無線カード１を所有して銀行の入口を通過した利用者がＡＴＭ４の読取部２８へ磁気カード６（図示せぬ）を挿入して入力部２９から暗証番号を入力すると共に、ＣＰＵ２１は読取部２８により磁気カード６の磁気ストライプから口座番号等を読み取る（ＳＴ２４）。そして、利用者により入力部２９から暗証番号が入力されると、ＣＰＵ２１は磁気カード６の磁気ストライプから読み取った口座番号に基づいて、ＲＡＭ２３に記憶されている利用者データを検索し（ＳＴ２５）、該当する利用者データから暗証番号を読み出して、利用者により入力された暗証番号との照合後（ＳＴ２６）、取引が行われる。
【００２１】
ＳＴ２６でＲＡＭ２３内に該当する口座番号のデータが記憶されていない場合には、ＣＰＵ２１はホスト伝送制御部２６からホストコンピュータ５へ該当する口座番号の残高照会要求電文を送信して、ホストコンピュータ５より該当口座の利用者データを受信して利用者との取引を行う（ＳＴ２７）。このようにして取引終了後（ＳＴ２８）、取引の終了した利用者が無線カード１を所有して銀行の入口のゲートアンテナ３を再び通過すると、ゲートアンテナ３の信号検知部１４により無線カード１の識別信号Ａが検知され、信号のチェックを行った後、ゲートアンテナ３からＡＴＭ４へ識別信号Ａを送信する（ＳＴ１１〜ＳＴ１３）。
【００２２】
そして、ＳＴ１６でＡＴＭ４のデータ判定部２５によりＲＡＭ２３に既に記憶しているデータの口座番号であると判定されると（ＳＴ２９）、ＣＰＵ２１は該当データの利用者へのサービスは終了したと判定して、受信した識別信号Ａの口座番号に該当する利用者データをＲＡＭ２３から読み出してホスト伝送制御部２６よりホストコンピュータ５へ送信して（ＳＴ３１）、ＲＡＭ２３内の利用者データを消去する（ＳＴ３３）。また、ＲＡＭ２３に記憶された利用者データは予め定められた時間を経過した場合（ＳＴ３０）にも、ホストコンピュータ５へ送信され（ＳＴ３１）、消去される（ＳＴ３３）。ホストコンピュータ５のホストＣＰＵ３１は、利用者データを受信すると、受信した利用者の口座番号に基づいてファイル制御部３３により利用者データファイル３４を検索し、利用者データファイル３４に受信した利用者データを記憶する（ＳＴ３２）。
【００２３】
このように本実施例では、口座番号などの識別可能な信号を発する無線カードを利用者が所有して、銀行の入口等に設置された検知手段のもとを通過することにより、無線カードの信号を検知して自動的に利用者の口座の残高データ等がホストコンピュータからＡＴＭへ送信されるようになっている。これより、ＡＴＭは利用者に関するデータを既に保持しているため、利用者がＡＴＭの入力部から情報を入力した後にホストコンピュータに照会する必要がない。よって、ＡＴＭにおける一連の処理からホストへの通信時間を短縮することができ、装置の処理効率が上がると共に、利用者の取引時間を短縮することができ、スムーズな取引を行うことができる。
【００２４】
ここで、ＡＴＭが複数設置されており、ホストからの情報を共有できない場合には、ＡＴＭがホストからのデータを受信した時に表示や音声案内等で利用者を誘導することも可能である。
【００２５】
（第２実施例）
以下に本発明の第２実施例を図面を参照して説明する。図４は本発明の一実施例であり、デパート内の化粧品店と化粧品会社本社コンピュータにおける店員に対する顧客情報の処理に用いた取引システム４２のシステムイメージ図である。第１実施例と同様に１は識別信号発信装置としての無線カードで、非接触でサービスの登録者であることを通知する識別信号、例えば会員番号等の識別信号Ａを発信する装置である。
【００２６】
４２は本発明の取引システムであり、ゲートアンテナ４３、店員用端末装置４４、そしてホストコンピュータ４５とから構成されている。また、ゲートアンテナ４３はデパートの入口にゲート状もしくはアンテナ状に設置されており、無線カード１を所有する利用者が入口のゲートアンテナ４３を通過すると、通過した利用者の無線カード１が発する識別信号Ａを非接触で検知すると共に、検知した識別信号Ａによるデータをホストコンピュータ４５へ送信する識別信号検知装置である。
【００２７】
端末装置４４はホストコンピュータ４５より受信した受信データを記憶したり、店員のキー操作により画面に表示したり、自動的に帳票に印字したりして、店員に対してデータを提供する装置である。ホストコンピュータ４５はサービスの提供元で、例えば化粧品会社の本社のコンピュータであり、会員登録した顧客の住所や肌のタイプ、会員番号等のデータの原簿を持ち、端末からの指示に従ってデータの提供等を行う情報処理装置である。また、ホストコンピュータ４５はゲートアンテナ４３と端末装置４４にそれぞれ、ケーブル、オンライン、無線ＬＡＭ等の通信回線で接続されており、自由にデータのやりとりができるようになっている。
【００２８】
次に図５は、図４に示した取引システム４２の主要機能の構成を示すブロック図である。図５においてゲートアンテナ４３は、ゲートアンテナ４３全体を制御するゲートＣＰＵ（セントラル・プロセッシング・ユニット）１１と、ゲートＣＰＵ１１の制御プログラム等の制御データを記憶しているＲＯＭ（リード・オンリ・メモリ）１２と各種データを一時記憶するＲＡＭ（ランダム・アクセス・メモリ）１３とを具備している。また顧客の所有する無線カード１が発信している識別信号Ａを検知する検知手段としての信号検知部１４と、検知した識別信号Ａが予め決められたフォーマットのデータであるか、また自社向けのデータかを判定する判定手段としての信号判定部１７と、検知した識別信号Ａから読み取った会員番号等のデータを照会要求電文にセットしてホストコンピュータ４５へ送信する伝送制御部１８とを具備している。
【００２９】
ホストコンピュータ４５においては、ホストコンピュータ４５全体を制御するホストＣＰＵ３１と、通信回線を介してゲートアンテナ４３からのデータの受信及び端末装置４４とのデータの送受信を行う伝送制御部３５と、顧客ごとの取引データ等を記憶している原簿である記録手段としての顧客データファイル３４と、ゲートアンテナ４３から送信されたデータの会員番号等をもとに顧客データファイル３４の原簿からデータを検索してホストＣＰＵ３１へ出力する検索手段としてのファイル制御部３３とを具備している。
【００３０】
端末装置４４においては、端末装置４４全体を制御するＣＰＵ２１と、ＰＵ２１の制御プログラム等の制御データを記憶しているＲＯＭ２２と、各種データを一時記憶する保持手段としてのＲＡＭ２３と、ホストコンピュータ４５と通信回線を介して交信を行う伝送制御部２６とを具備している。また、ホストコンピュータ４５から受信したデータ等を表示する表示部２７と、ホストコンピュータ４５より受信したデータ等をプリンタで印字する出力部３０と、利用者である店員により所望の情報の入力を行う入力部２９をも具備している。
【００３１】
次に、図６のフローチャートを用いて上述する構成の取引システム４２の動作を説明する。まず、無線カード１を所有する顧客がデパートの入口を通過すると、入口に設置されたゲートアンテナ４３が信号検知部１４により顧客の所有する無線カード１から発信している識別信号Ａを検知する（ＳＴ４１）。すると、ゲートＣＰＵ１１は、信号判定部１７により検知した識別信号Ａが所定フォーマットの信号で、かつ自社向けであるかを判定し（ＳＴ４２）、ここで、識別信号Ａが所定の信号であると判定されると、検知した識別信号Ａから顧客の会員番号を読み取り、伝送制御部１８からホストコンピュータ４５へ会員番号をセットした照会要求電文を送信する（ＳＴ４３）。
【００３２】
ホストコンピュータ４５においては、ＳＴ４３でゲートアンテナ４３からの照会要求電文を伝送制御部３５に受信すると、ホストＰＵ３１は受信した顧客の会員番号に基づいてファイル制御部３３により顧客データファイル３９の顧客データを検索し（ＳＴ４４）、該当する登録会員データの有無を判定する（ＳＴ４５）。ＳＴ４５で該当する会員の顧客データが存在すると判定されると、ホストＣＰＵ３１は該当する会員の顧客データを照会応答電文にセットして伝送制御部３５から端末装置４４へ送信する。また、該当する会員が存在しないと判定されると、ホストＣＰＵ３１はエラーとして端末端末装置４４へは送信しないで処理を終了するようになっている（ＳＴ４６）。
【００３３】
端末端末装置４４においては、ホストコンピュータ４５からの照会応答電文を受信すると（ＳＴ４７）、ＣＰＵ２１はＲＡＭ２３に受信した会員番号、顧客データ等を記憶する（ＳＴ４８）。そして、ＣＰＵ２１は表示部２７にて受信した顧客データを表示したり、出力部３０によって顧客の名前や担当者等を印字する（ＳＴ４９）。
【００３４】
また、顧客が店舗を訪れた時などには、店員の入力部２７からの顧客データ出力要求に対し（ＳＴ５０）、速やかに表示部２７または出力部３０より表示または出力させる。店員により入力部２９から消去指令が出された時には（ＳＴ５１）、ＣＰＵ２１はＲＡＭ２３の該当する会員の顧客データを伝送制御部２６からホストコンピュータ４５へ送信後（ＳＴ５３）、ＲＡＭ２３の該当する会員の顧客データを消去する（ＳＴ５４）。また、ＲＡＭ２３に記憶された顧客データで予め定められた保管時間を経過した場合にも（ＳＴ５２）、ホストコンピュータ４５へ送信後（ＳＴ５３）、消去されるようになっている（ＳＴ５４）。ホストコンピュータ４５のホストＣＰＵ３１は顧客データを受信すると、新規なデータがあればファイル制御部３３により顧客データファイル３４に記憶する（ＳＴ５６）。
【００３５】
ここで、第１実施例と同様に本実施例においても、ゲートアンテナ４３と端末装置４４を通信回線によって接続して、ゲートアンテナ４３が無線カード１の識別信号Ａを検知した時に端末装置４４にも会員番号等のデータを送信するようにして端末装置４４で既に記憶しているデータと同じ会員番号がゲートアンテナ４３から送信された場合には該当会員の顧客がデパートから出て行ったと判定してＲＡＭ２３の顧客データをホスト４５へ送信後、消去するようにしてもよい。
【００３６】
このようにして、本実施例では、会員番号等のサービスの登録者であると識別可能な信号を発する無線カードを顧客が所有し、デパートの入口等、店舗とは別設置された識別信号検知装置の近くを通過することで、識別信号検知装置により非接触で無線カードの識別信号が検知して自動的に顧客に関するデータをホストに照会し、ホストコンピュータから店舗の端末装置の方へ顧客データが送信されるようになっている。これにより、顧客の来店に前もって準備することができ、顧客の来店時には顧客を待たせることなく速やかに顧客対応ができる。
【００３７】
（第３実施例）
以下に本発明の第３実施例を図面を参照して説明する。図７は本発明の一実施例であり、テナントビルにおけるビル内の各店舗の端末とテナントビルのコンピュータ及びクレジット会社のコンピュータ間での顧客情報の処理に用いた取引システム５２のシステムイメージ図である。第２実施例と同様に、１は識別信号発信手段としての無線カードで、非接触でサービスの登録者であることを通知する、例えば会員番号等の識別信号Ａを発信する装置である。
【００３８】
５０はテナントビルで、複数の店舗５７ａ，５７ｂ，…を所有する集合体であり、無線カード１の発する識別信号Ａを受信すると共に他へ送信する第１の識別信号検知装置としてのゲートアンテナ５３と、テナントビル５０全体を管理するデータ制御装置としての総合コンピュータ５６とを有している。また、各店舗５７ａ，５７ｂ，…の入口には、無線カード１を所有する顧客が店舗入口を通過する時に無線カード１の識別信号Ａを検知する第２の識別信号検知装置としての店舗用アンテナ５８ａ，５８ｂ，…と、端末コンピュータ５９ａ，５９ｂ，…とが設置されている。
【００３９】
５５はサービスの提供元でカード会社のホストコンピュータであり、会員登録した顧客の住所や取引内容等のデータの原簿をもち、総合コンピュータ５６からの購買通知等に従って情報の更新を行う情報処理装置である。そして、各店舗用アンテナ５８ａ，５８ｂ，…と各端末コンピュータ５９ａ，５９ｂ，…、及び総合コンピュータ５６がゲートアンテナ５３、各端末コンピュータ５９ａ，５９ｂ，…、ホストコンピュータにそれぞれケーブル、オンラインまたは無線ＬＡＮ等の通信回線で接続されており、自由にデータのやりとりができるようになっている。
【００４０】
次に図８は、図７に示した取引システム５２の主要機能の構成を示すブロック図である。図８において、ゲートアンテナ５３とホストコンピュータ５５は通信回線で接続されており交信する先がそれぞれ総合コンピュータ５６である以外は第１実施例と同様のものである。そして総合コンピュータ５６はテナントビル５０全体を制御・管理する総合ＣＰＵ６１と、総合ＣＰＵ６１の制御プログラム等の制御データを記憶しているＲＯＭ６２と、各種データを一時記憶する保持手段としてのＲＡＭ６３と、ゲートアンテナ５３から送信された識別信号Ａを受信するゲート伝送制御部６４と、受信した識別信号Ａの会員番号等のデータをチェックするデータ判定部６５と、ゲートアンテナ５３や各端末コンピュータ５９ａ，５９ｂ，…からの指示に従ってデータを検索するデータ検索部６６と、ホストコンピュータ５５と各端末コンピュータ５９ａ，５９ｂ，…と交信を行う伝送制御部６７とを具備している。
【００４１】
端末コンピュータ５９ａは、第１実施例に記載した端末ＣＰＵ２１、ＲＯＭ２２、ＲＡＭ２３、表示部２７、読取部２８及び入力部２９と、総合コンピュータ５６と通信回線で接続されており交信を行う総合伝送制御部９１と、店舗用アンテナ５８ａからのデータを受信するアンテナ伝送制御部９２とから構成されている。店舗用アンテナ５８ａは、ゲートアンテナ５３と同様の構成であり、アンテナＣＰＵ８１、ＲＯＭ８２、ＲＡＭ８３、伝送制御部８６、信号判定部８５、信号検知部８４とを具備している。また端末コンピュータ５９ｂ，５９ｃ，…と店舗用アンテナ５８ｂ、５８ｃ，…は各店舗に設置されている端末コンピュータ、店舗用アンテナであり、端末コンピュータ５９ａ、店舗用アンテナ５８ａのそれぞれと同様のものであるため、説明を省略する。
【００４２】
次に図９乃至図１１のフローチャートを用いて上述する構成の取引システムの動作を説明する。まず、無線カード１を所有する顧客がビルの入口を通過すると、入口付近に設置されたゲートアンテナ５３は信号検知部１４で顧客の所有する無線カードから発信している顧客の会員番号等による識別信号Ａを検知する（ＳＴ６１）。すると、ＣＰＵ１１は、信号判定部１５により検知した識別信号Ａが所定のフォーマットの信号であるかを判定し（ＳＴ６２）、識別信号Ａが所定の信号であると判定されると、ＳＴ６１で検知した識別信号Ａを伝送制御部１６から総合コンピュータ５６へ送信する（ＳＴ６３）。
【００４３】
次に総合コンピュータ５６の総合ＣＰＵ６１はゲート伝送制御部６４でゲートアンテナ５３から識別信号Ａを受信すると（ＳＴ６４）、データ判定部６５により識別信号Ａの会員番号等のデータが所定フォーマットのデータであるかを判定する（ＳＴ６５）。ＳＴ６５で所定データであると判定されると、次にデータ判定部６５は受信した識別信号Ａから読み取った会員番号のデータが既にＲＡＭ６３に記憶しているか判定する（ＳＴ６６）。ＳＴ６６で記憶していない新規な会員番号であると判定されると、総合ＣＰＵ６１は受信した識別信号Ａから読みとった会員番号をセットした照会要求電文を伝送制御部６７からホストコンピュータ５５へ送信する（ＳＴ６７）。
【００４４】
ＳＴ６７で総合コンピュータ５６からの照会要求電文を伝送制御部３２に受信すると、ホストコンピュータ５５のホストＣＰＵ３１は、受信した顧客の会員番号に基づいてファイル制御部３３により顧客データファイル３４の原簿から顧客の取引データを検索し（ＳＴ６８）、該当する顧客データの有無を判定する（ＳＴ６９）。ＳＴ６９で該当データが存在すると判定されると、ホストＣＰＵ３１は該当する顧客の取引データの「使用可能なカードである」又は「使用停止のカードである」の判別結果や使用限度額等を顧客データとして照会応答電文にセットして伝送制御部３３から総合コンピュータ５６へ送信する。また、該当データが存在しない場合には送信せずに処理を終了する（ＳＴ７０）。総合コンピュータ５６の総合ＣＰＵ６１は、ホストコンピュータ５５からの照会応答電文を受信すると（ＳＴ７１）、ＲＡＭ６３に会員番号、取引データ等を記憶する（ＳＴ７２）。
【００４５】
そして図１０に示すように、無線カード１を所有してビルの入口を通過した顧客が、店舗５７ａに入ると、店舗５７ａ内に設置された店舗用アンテナ５８ａが信号検知部８４により顧客の所有する無線カード１から発信している識別信号Ａを検知する（ＳＴ７３）。そして、アンテナＣＰＵ８１は、信号判定部８５により検知した識別信号Ａが所定のフォーマットの信号であるかを判定し（ＳＴ７４）、識別信号Ａが所定の信号であると判定されると、ＳＴ７３で検知した識別信号Ａを伝送制御部８６から端末コンピュータ５９ａへ送信する（ＳＴ７５）。
【００４６】
端末コンピュータ５９ａの端末ＣＰＵ２１は、データ判定部２５により識別信号Ａの会員番号等のデータが所定フォーマットのデータであるか判定し（ＳＴ７６）、所定データであると判定されると、次にデータ判定部２５は受信した会員番号のデータが既にＲＡＭ２３に記憶されているかを判定する（ＳＴ７７）。ＳＴ７７で記憶されていない新規な会員番号であると判定されると、端末ＣＰＵ２１は会員番号等のデータを照会要求電文にセットして総合伝送制御部９１から総合コンピュータ５６へ送信する（ＳＴ７８）。
【００４７】
総合コンピュータ５６の総合ＣＰＵ６１は、端末コンピュータ５９ａからの照会要求電文を受信すると（ＳＴ７９）、受信した顧客の会員番号に基づいてＲＡＭ６３に記憶されている顧客データを検索し（ＳＴ８０）、該当する顧客の取引データがあれば伝送制御部６７を介して端末コンピュータ５９ａへ送信する。該当する顧客の取引データがない場合には、総合コンピュータ５６の総合ＣＰＵ６１はホストコンピュータ５５へ該当する顧客のデータを照会する（ＳＴ８１，ＳＴ８２）。そして、端末コンピュータ５５の端末ＣＰＵ２１は総合コンピュータ５５から照会応答電文を受信すると、ＲＡＭ２３に会員番号や取引データ等を記憶する（ＳＴ８３）。
【００４８】
ここで、無線カード１を所有する顧客が店舗５７ａにおいて磁気カードを使用して買い物を行う場合には（ＳＴ８４）、まず定員により店舗５７ａに設置された端末コンピュータ５９ａの読取部２８に磁気カードが挿入されて読取部２８により磁気カードの磁気ストライプから会員番号やカード番号等が読み取られ、入力部２９からは所定の情報が入力される（ＳＴ８５）。
【００４９】
すると、端末ＣＰＵ２１は、磁気ストライプから読み取った会員番号をもとにＲＡＭ２３に記憶している。顧客データを検索して、該当する顧客データの有無を判定する（ＳＴ８６）。そして、ＳＴ８７で該当する顧客データが存在すると判定されると、端末ＣＰＵ２１はＲＡＭ２３から読み出した顧客データから買い物可能であるか取引不可であるかを判定し、明細票に印字する（ＳＴ８７）。
【００５０】
このようにして、取引が終了し（ＳＴ８８）、顧客が店舗５７ａから出ていき再び店舗入口の店舗用アンテナ５８ａにより無線カード１の識別信号Ａが検知されると（ＳＴ８９）、端末コンピュータ５９ａの端末ＣＰＵ２１は総合伝送制御部９１より総合コンピュータ５５へ顧客データを送信後（ＳＴ９０）、消去する（ＳＴ９１）。総合コンピュータ５５は店舗５７ａの端末コンピュータ５９ａからの顧客データを受信し（ＳＴ９２）、取引が行われデータに変更がある場合にはＲＡＭ６３内の該当データを変更する（ＳＴ９３）。
【００５１】
ここで再び、他の店舗５７ｂ，５７ｃ，…に設置された店舗用アンテナ５８ｂ，５８ｃ，…が無線カード１の識別信号Ａを検知して端末コンピュータ５９ｂ，５９ｃ，…から照会要求電文を送信されると、総合コンピュータ５５は顧客データを検索し該当する取引データを送信してきた端末コンピュータ５９ｂ，５９ｃ，…へ送るようになっている（ＳＴ７９〜ＳＴ８２）。
【００５２】
そして、図１１に示すように、無線カード１を所有した顧客が、ビル５０のゲートアンテナ５３を再び通過してビル５０から出た場合には、ゲートアンテナ５３の信号検知部１４により無線カード１の識別信号Ａが検知され（ＳＴ６１）、信号のチェック後（ＳＴ６２）、ゲートアンテナ５３から総合コンピュータ５６へ識別信号Ａが送信される（ＳＴ６３）。
【００５３】
総合コンピュータ５６の総合ＣＰＵ６１は、データ判定部６５によりＲＡＭ６３に既に記憶しているデータであると判定されると（ＳＴ６０、ＳＴ９５）、総合ＣＰＵ６１は該当データの顧客による取引は終了したと判定されＲＡＭ６３に記憶された顧客データはホストコンピュータ５５へ送信される（ＳＴ９７）。また、ＲＡＭ６３に記憶された顧客データは予め定められた時間を経過した場合には（ＳＴ９６）、ホストコンピュータ５５へ送信される（ＳＴ９７）。
【００５４】
総合コンピュータ５６はデータをホストコンピュータ５５へ送信後、ＲＡＭ６３から該当データを消去する（ＳＴ９８）。ホストコンピュータ５５は総合コンピュータ５６より顧客データを受信すると、データに変更がある場合には、ファイル制御部３３により顧客データファイル３４のデータを変更するようになっている（ＳＴ９９）。
【００５５】
このように、本実施例では、会員番号等の識別可能な信号を発する無線カードを顧客が所有してビルの入口を通過することにより、入口付近等に設置された第１の識別信号検知装置により無線カードの信号が受信され自動的に顧客の取引データがホストコンピュータから総合コンピュータに送信されるようになっている。また、各店舗にアンテナを設置し、無線カードを所有する顧客が店舗に入ると、店舗内に設置された第２の識別信号検知装置により信号検知して店舗の端末コンピュータに常に顧客の取引データを保持させるようになっている。
【００５６】
これにより、顧客のカードを使用する取引に迅速に対応でき顧客の取引データをホストコンピュータに問い合わせる時間を短縮することができ、顧客の取引時間を短くできると共にスムーズな取引が行える。また、テナントビルとカード会社間の通信は少なくて済むため通信料が軽減される。さらに、このようにホストから送られるデータを一括して取り扱うデータ制御装置を有することにより複数の端末装置に対応することが可能となる。
【００５７】
また、本実施例はカードによる取引時にのみホストとの交信が必要であるため磁気カードと無線カードが同一のカードから構成されていると取扱いや持ちはこびに便利である。
【００５８】
【発明の効果】
以上、説明したように本発明では、自動的に利用者を識別して、利用者による入力操作を簡単にすると共に、利用者の取引時間を短縮することができる。
【図面の簡単な説明】
【図１】本発明の取引システムに係る第１実施例の動作を説明するフローチャート図。
【図２】取引システムにおける第１実施例のシステムイメージ図。
【図３】取引システムの第１実施例の構成を示すブロック図。
【図４】取引システムにおける第２実施例のシステムイメージ図。
【図５】取引システムの第２実施例の構成を示すブロック図。
【図６】取引システムの第２実施例の動作を説明するフローチャート図。
【図７】取引システムにおける第３実施例のシステムイメージ図。
【図８】取引システムの第３実施例の構成を示すブロック図。
【図９】取引システムの第３実施例の動作を説明するフローチャート図。
【図１０】取引システムの第３実施例の図９に続く動作を説明するフローチャート図。
【図１１】取引システムの第３実施例の図１０に続く動作を説明するフローチャート図。
【符号の説明】
１    無線カード
２，４２    取引システム
３，４３，５３    ゲートアンテナ
４    ＡＴＭ
５，４５，５５    ホストコンピュータ
４４    端末装置
５０    テナントビル
５６    総合コンピュータ
５７ａ，５７ｂ    店舗
５８ａ，５８ｂ    店舗用アンテナ
５９ａ，５９ｂ    端末コンピュータ
【図１】
0003678370.tif 000002
【図２】
0003678370.tif 000003
【図３】
0003678370.tif 000004
【図４】
0003678370.tif 000005
【図５】
0003678370.tif 000006
【図６】
0003678370.tif 000007
【図７】
0003678370.tif 000008
【図８】
0003678370.tif 000009
【図９】
0003678370.tif 000010
【図１０】
0003678370.tif 000011
【図１１】
0003678370.tif 000012